(57)【要約】【課題】物体が高速回転するときにも、ロゴ又は文字を視認できるようにした図像記号表示装置を提供すること。【解決手段】回転体プリント基板とばね片プリント基板と図像記号プリント基板とを含み、前記回転体プリント基板は少なくとも１列の発光ダイオードを取り付け、前記ばね片プリント基板は少なくとも１列の発光ダイオードを取り付け、前記図像記号プリント基板に図像記号区域を設け、ばね片と発光ダイオードの間をそれぞれ導線により接続し、前記図像記号プリント基板は導線により、すべての発光ダイオードに連接して回路を形成し、物体が高速回転するときに、ばね片プリント基板も追従して高速に回転し、図像記号プリント基板の図像記号区域をなぞり信号に置き換えて、前記回転体プリント基板の発光ダイオードに伝送する。【選択図】図２Ｂ
0003146895.tif 000002
【実用新案登録請求の範囲】
【請求項１】
回転物体に取り付けた発光ダイオードにより、文字又は図案を表示する回転物体上の発光ダイオード灯による図像記号表示装置において、
複数のプリント基板を含み、
前記プリント基板は回転体プリント基板とばね片プリント基板と図像記号プリント基板を含み、
前記回転体プリント基板は、少なくとも１列の発光ダイオードを設け、
前記ばね片プリント基板には、少なくとも１列のばね片を配置し、かつ前記ばね片の数は前記発光ダイオードの数に対応し、
前記図像記号プリント基板に図像記号を設けて、図像記号区域にて図像又は文字を表示し、
前記各ばね片と導線によって、一対一で対応するように各発光ダイオードと電気的に接続し、
かつ前記図像記号プリント基板は導線を介して、すべての発光ダイオードに連接して一つの電気回路を形成し、
回転物体が高速回転すると、前記ばね片プリント基板が追従して高速に回転し、図像記号プリント基板３をなぞり信号に置き換えて、前記回転体プリント基板の発光ダイオードに伝送し、前記図像記号プリント基板の図像を視認できるように前記回転体プリント基板の発光ダイオードが点滅することを特徴とする、
回転物体上の発光ダイオード灯による図像記号表示装置。
【請求項２】
前記回転体プリント基板は３Ｖ（ＬＥＤ-）の電圧を複数発光ダイオードの両電極に印加し、その間に限流抵抗器をそれぞれ取り付けることを特徴とする、請求項１記載の回転物体上の発光ダイオード灯による図像記号表示装置。
【請求項３】
前記回転体プリント基板は、回転物体の一辺の見やすいところに取り付けることを特徴とする、請求項１記載の回転物体上の発光ダイオード灯による図像記号表示装置。
【請求項４】
前記図像記号プリント基板の図像記号区域には、図像又は文字のいずれかを表示することを特徴とする請求項１記載の回転物体上の発光ダイオード灯による図像記号表示装置。
【請求項５】
前記図像記号区域に設ける図像記号は、銅箔を張り付け、この銅箔に３Ｖ（ＬＥＤ+）の電圧を印加することを特徴とする、請求項４記載の回転物体上の発光ダイオード灯による図像記号表示装置。
【請求項６】
前記回転体プリント基板と前記ばね片のプリント基板はともに前記回転物体の回転軸に取り付けられ、前記回転体プリント基板とばね片プリント基板は回転物体に追従して回転するが、前記図像記号プリント基板は回転物体の回転に追従しないことを特徴とする、請求項１記載の回転物体上の発光ダイオード灯による図像記号表示装置。
【請求項７】
前記回転物体は自動車の車輪であり、車のメーカロゴを表示することを特徴とする、請求項１記載の回転物体上の発光ダイオード灯による図像記号表示装置。
【請求項８】
前記回転体プリント基板には回転物体の回転スピードに応じて、発光ダイオードが半列、又は１列又は複数列に取り付けられることを特徴とする、請求項１記載の回転物体上の発光ダイオード灯による図像記号表示装置。
【請求項９】
前記回転物体は回転輪を備える風車、自動車以外の車両、扇風機のいずれかひとつであり、発光ダイオードの発光により図像記号を広告表示し得ることを特徴とする、請求項１記載の回転物体上の発光ダイオード灯による図像記号表示装置。
【考案の詳細な説明】
【技術分野】
【０００１】
本考案は回転物体の広告装置に関し、特に一種の回転物体上の発光ダイオード（Light Emitting Diode，ＬＥＤ）灯による図像記号表示装置に関する。
本考案は、回転物体が高速回転するときに、ばね片プリント基板も追従して高速回転し、図像記号プリント基板の図像記号区域をなぞり、信号に置き換えて、前記回転体プリント基板の発光ダイオードに伝送する。これにより、視覚上に前記回転体プリント基板の発光ダイオードが点滅して、前記図像記号プリント基板の図像記号を視認できる、回転物体上の発光ダイオード灯による図像記号表示装置に関するものである。
【背景技術】
【０００２】
この種の公知技術としては、特許文献１（台湾特許公開Ｍ３２８６１３号）に開示されている。
特許文献１に開示された自動車伝動軸に取り付ける広告板装置は、主に固定台と軸受装置と円板とを含む。
前記円板の外面位置に広告を貼り付ける。
前記固定台は円板上で少なくとも４本の内側に突き出す穿孔柱を設け、各穿孔柱は自動車伝動軸上の車輪締め付けねじに対応して設ける。
車輪を締め付けると、固定台を前記自動車伝動軸に取り付けることができる。
前記軸受装置は、前記固定台と前記円板表面との間に設け、自動車伝動軸が回転し固定台を伝動するとき、前記円板は伝動されることなく、前記円板は静止又は静止に近い状態を維持し、歩行者と他の車内乗客は円板の広告内容をはっきり視認できる。
【０００３】
【特許文献１】台湾特許公開Ｍ３２８６１３号
【考案の開示】
【考案が解決しようとする課題】
【０００４】
前記した従来技術の車輪による広告看板は業者がよく使われている方法であるが、車輪が高速回転状態になると、掲載された広告内容がぼやけてはっきり見ることができない。
一方、多くの自動車メーカもホイルキャップにロゴが取り付けられている。
それも同じく、高速回転状態ではぼやけて区別がつかない。
そして、広告内容を車輪の回転に追従させない方法が採用されても、ぼやける現象は改善されるものの、はっきり見えないことが現状である。
よって、回転物体に表示された広告内容をはっきり見ることができれば、より高い実用性がある。
【課題を解決するための手段】
【０００５】
本考案は、回転物体が高速回転するときに、回転体プリント基板は車輪の回転に追従して高速に回転すると、視覚の残留現象が発生し、この目の残留効果を利用して、図像記号プリント基板上の図案を視認し、前記公知技術の課題解決を図る、一種の回転物体上の発光ダイオード灯による図像記号表示装置を提供することを本考案の主な目的とする。
【０００６】
本考案は、主に回転物体に取り付け、前記回転物体は回転するときに、文字又は図案を表示することにより、従来の物体は高速回転すると、物体に印字されたロゴ又は文字が視認できない欠点を改善できる。
このシステムは主に回転体プリント基板を含み、前記回転体プリント基板は少なくとも１列の発光ダイオード（ＬＥＤ）を取り付ける。
ばね片プリント基板を設け、前記ばね片プリント基板は少なくとも１列の発光ダイオード（ＬＥＤ）を取り付け、前記ばね片の数は前記発光ダイオードの数に対応する。
図像記号プリント基板を設け、前記図像記号プリント基板に図像記号区域を設ける。
ばね片はそれぞれ導線により、一対一で対応する発光ダイオードにそれぞれ連接する。
前記図像記号プリント基板は導線により、すべての発光ダイオードに連接し回路を形成して、導通関係を有する。
回転物体が高速回転するときに、前記ばね片プリント基板も追従して高速に回転し、図像記号プリント基板の図像記号区域をなぞり信号に置き換えて、前記回転体プリント基板の発光ダイオードに伝送する。
【考案の効果】
【０００７】
本考案は、回転物体に取り付け、前記回転物体は回転するときに、文字又は図案を表示することにより、従来の物体は高速回転すると、物体に印字されたロゴ又は文字が視認できない欠点を改善することができる。
【考案を実施するための最良の形態】
【０００８】
図面を参照しながら、本考案に係る好ましい実施例について詳細に説明する。
【実施例１】
【０００９】
図１Ａから図４Ｂに、本考案による回転物体上の発光ダイオード灯による図像記号表示装置を示す。
本考案に係る図像記号表示装置は、主に、回転物体１０１に取り付けた発光ダイオードから文字又は図案を表示するものである。
従来技術の物体が高速回転するときに、物体に印字されたロゴ又は文字を視認できないなどの課題を改善するものであり、主に、以下の素子を含む。
【００１０】
本考案に係る図像記号表示装置は、複数のプリント基板を含む。
前記プリント基板は回転体プリント基板１とばね片プリント基板２と図像記号プリント基板３を含む。
回転体プリント基板１に、一列の発光ダイオード（ＬＥＤ）１０を設け、３Ｖ（ＬＥＤ-）電圧を複数発光ダイオードの両極に電気連接し、限流抵抗器を間にそれぞれ取り付ける。
前記回転体プリント基板１を回転物体の一辺の見やすいところに取り付ける。
【００１１】
ばね片プリント基板２に、ばね片２０を多数配置し、前記ばね片の数は前記発光ダイオードの数に対応する。
【００１２】
前記回転体プリント基板１と前記ばね片プリント基板２はともに前記回転物体の回転軸１０２に取り付けられているため、前記回転体プリント基板１とばね片プリント基板２は回転物体に追従して回転する。
【００１３】
図像記号プリント基板３に図像記号を設け、前記図像記号区域に図像又は文字を印字する。
図像記号プリント基板３の図像又は文字とも銅箔を張り付け、前記銅箔に３Ｖ（ＬＥＤ+）電圧を印加する。
前記図像記号プリント基板３は回転物体の回転に追従しない。
【００１４】
それに伴い、各ばね片２０とも導線によって、一対一に対応の発光ダイオードに連接し、かつ前記図像記号プリント基板３は導線を介して、すべての発光ダイオードに連接して、一つの回路を形成し、導通関係を備える。
【００１５】
図５に本考案による電気回路配置図を示す。
この電気回路配置図において、発光ダイオード同士が連接されている。
Ｒは発光ダイオードと図像記号プリント基板３との間に串刺した対応のばね片である。
すべての発光ダイオードの出力端は３ボルトの電源４に接続する。
電源４の他端は図像記号プリント基板３に連接して、図示の回路を形成する。
【００１６】
本考案によるシステムは様々な回転物体に使用できる。
前記の回転物体は、自動車走行中に高速回転する車輪と、あらかじめに設けられた図像を実施例として、本考案によるシステムの稼働と効果を以下の通り詳細説明する。
【００１７】
車輪１０３に前記図像記号プリント基板３を設け、回転軸に前記回転体プリント基板１とばね片プリント基板２を設ける。前記図像記号プリント基板３は車輪の回転に追従しないように車輪１０３に取り付ける。
図像記号プリント基板３の図像記号区域３０（図２Ａと２Ｂを参照）に銅箔を張り付けて、ＬＥＤ+電圧に導通する。
図像記号のない区域は銅箔を張り付けない絶縁区域にする。
前記回転体プリント基板１上すべての発光ダイオード（図２Ｂにて、発光ダイオードはそれぞれにＡＢＣＤアルファベットを付けて標識されている）は導線を介して、それぞれに対応した前記ばね片プリント基板２のばね片（図２Ｂにて、Ａ１、Ｂ１、Ｃ１、Ｄ１を付けて標識する）にそれぞれ連接する。
前記回転体プリント基板１は導線により、前記図像記号プリント基板３であらかじめに設けられた図像に連接した上、ＬＥＤ-電圧を印加し、導通回路を形成する。
前記ばね片プリント基板２に取り付けた列となるばね片は車輪に追従して回転し、前記図像記号プリント基板の図像記号区域３０の銅箔をなぞり、信号は発光ダイオードケーブルより、回転体プリント基板１に伝送される。
図３Ａにおいて、前記ばね片（Ｂ１、Ｃ１、Ｄ１、Ｅ１）が前記図像記号区域３０に回転し回路発光ＬＥＤ＋に接触すると、導通回路が形成されるため、前記回転体プリント基板１の発光ダイオード（Ｂ、Ｃ、Ｄ、Ｅ）が点灯される。
これに対して、前記ばね片（Ｂ１、Ｃ１、Ｄ１、Ｅ１）は図像記号が取り付けられていない区域に回転したときは、回路が形成されない。
よって、前記回転体プリント基板１の発光ダイオード（Ｂ、Ｃ、Ｄ、Ｅ）も点灯されない。
それに伴い、車輪が高速回転すると、前記ばね片プリント基板２は追従して高速に回転し、図像記号プリント基板３をなぞり信号に置き換えて、前記回転体プリント基板１の発光ダイオードに伝送する。
これにより、前記回転体プリント基板１の発光ダイオードが点滅して、前記図像記号プリント基板３の図像を視認できる。
【００１８】
そして、高速回転すると、回転体プリント基板も追従して高速に回転するため、人間の目は視覚の残留効果により、図像記号プリント基板の図像を視認できる。
例えば、車が時速６０キロで走行し、車輪の径約３３センチ、ホイルキャップに図像をそれぞれ左、右のまわり約１２０度位置に設けたとき、車輪が一回転すると、前記ばね片は１／３秒の移動時間で図像を１回表示できる。
そして、人間の目では図像の瞬間消失を察知できないため、連続した図像を視認される。
【００１９】
本考案はＢＭＷ、ＢＥＮＺ、ＴＯＹＯＴＡ…など、車輪のホイルキャップに取り付けて、メーカのロゴなどを表示するのに適する。
【００２０】
本考案による前記回転体プリント基板１には、回転物体の回転速度に従って、半列、１列、若しくは複数列の発光ダイオードを配置表示することができる。
【００２１】
本考案による発光ダイオード単体は、発光ダイオード灯具であっても良い。必要に応じて、色違いの発光ダイオードを含め、それぞれの配線方式と合わせて、様々な色表示できる。
【００２２】
本考案によるシステムは、風車、オートバイ、扇風機などその他の回転物体に取り付けて発光ダイオードの発光により、文字又は図案を表示できる。
【００２３】
前記した詳細な説明は、本考案の好ましい実施例について説明するものである。ただし、該実施例は本考案になんらの制限を加えるものではない。本考案の技術精神に基づく同等の効果の応用又は変更は、すべて本考案に含まれるものである。
【図面の簡単な説明】
【００２４】
【図１Ａ】本考案に係る装置を構成する各素子の概略図である。
【図１Ｂ】本考案に係る装置を構成する各素子の概略図である。
【図１Ｃ】本考案に係る装置を構成する各素子の概略図である。
【図２Ａ】本考案に係る装置を回転物体に取り付けた概略図である。
【図２Ｂ】本考案に係る装置の連結関係の概略図である。
【図３Ａ】本考案に係る装置の稼働概略図である。
【図３Ｂ】本考案に係る装置の稼働概略図である。
【図３Ｃ】本考案に係る装置の稼働概略図である。
【図３Ｄ】本考案に係る装置の稼働概略図である。
【図４Ａ】本考案に係る装置の車輪への応用図である。
【図４Ｂ】本考案に係る装置の車輪への応用図である。
【図５】本考案に係る装置の電気回路配置図である。
【符号の説明】
【００２５】
１        プリント基板
１０      発光ダイオード（ＬＥＤ）
１０１    回転物体
１０２    回転軸
２        プリント基板
２０      ばね片
３        プリント基板
３０      図像記号区域
４        電源
１０３    車輪
【図１Ａ】
0003146895.tif 000003
【図１Ｂ】
0003146895.tif 000004
【図１Ｃ】
0003146895.tif 000005
【図２Ａ】
0003146895.tif 000006
【図２Ｂ】
0003146895.tif 000007
【図３Ａ】
0003146895.tif 000008
【図３Ｂ】
0003146895.tif 000009
【図３Ｃ】
0003146895.tif 000010
【図３Ｄ】
0003146895.tif 000011
【図４Ａ】
0003146895.tif 000012
【図４Ｂ】
0003146895.tif 000013
【図５】
0003146895.tif 000014